(57)【要約】      （修正有）【課題】法號と、その基本的意味や由来を関連付けて認識させるために有用な手段を提供する。【解決手段】法號を記すのに用いられる法號記載シート２１と、前記法號に関連する事項を記すのに用いられる法號関連事項記載シート２２と、前記法號記載シートと法號関連事項記載シートを並べて保持することを可能とする、シート保持部を有するフォルダ３と、を備える。【選択図】図３
0003192122.tif 000002
【実用新案登録請求の範囲】
【請求項１】
法號を記すのに用いられる法號記載シートと、
前記法號に関連する事項を記すのに用いられる法號関連事項記載シートと、
前記法號記載シートと法號関連事項記載シートを並べて保持することを可能とする、シート保持部を有するフォルダと、
を備えることを特徴とする、法號フォルダ。
【請求項２】
さらに、任意事項を記すのに用いられる任意事項記載シートを含むことを特徴とする、請求項１に記載の法號フォルダ。
【請求項３】
前記フォルダが２つ折り可能に形成されており、内側に前記シート保持部を有することを特徴とする、請求項１又は２に記載の法號フォルダ。
【請求項４】
前記フォルダの表側には、布が張られていることを特徴とする、請求項３に記載の法號フォルダ。
【請求項５】
前記シート保持部は、前記法號記載シート及び法號関連事項記載シートの四隅をそれぞれ挟み込むことによりこれらのシートを保持し、かつ、該シートを差し替え可能なように形成されていることを特徴とする、請求項１〜４の何れかに記載の法號フォルダ。
【考案の詳細な説明】
【技術分野】
【０００１】
本考案は、法號を記すためのシートを収容した法號フォルダに関する。
【背景技術】
【０００２】
古くから、日本においては、仏教において受戒した者に対し、寺院が法號（戒名、法名）を与えるという風習がある。
しかしながら、近年では、葬儀を行わない火葬のみで済ます、通称「直葬」で、故人を見送る形が増えている。これは、寺院が仏式による葬儀や法號の必要性や宗教的意義を明確に発信、伝達してこなかったことで、仏式による葬儀や法號の必要性が一般に理解されていないことが一つの要因である。
従来、法號を与える典型的な手法は、寺院が位牌に法號を記す（非特許文献１）のみであり、その基本的意味や由来の説明があったとしても、口頭で遺族や檀家に説話する、というものであった。
【先行技術文献】
【非特許文献】
【０００３】
【非特許文献１】ウィキペディア「位牌」（http://ja.wikipedia.org/wiki/%E4%BD%8D%E7%89%8C）
【考案の開示】
【考案が解決しようとする課題】
【０００４】
従来の法號を与える典型的な手法では、法號の基本的意味や由来は、口頭で説明されるだけで、難解な仏教の専門用語が多く用いられていることから、理解するのが困難であった。特に、故人の死後間もない期間においては、遺族は悲しみに暮れるため、口頭での説明だけでは、理解されないことが多い状況である。更に、故人の死後一定の期間後に、遺族は法號の基本的意味や由来を再確認したいと思う機会も多々あり、さらには、葬儀に参列できず後日に会葬に来られた親しい親族や友人などには、その意味や由来を伝えることは難しく、これを寺院に再確認することを躊躇し、結局法號の基本的意味や由来を理解しないままに、位牌を安置し、長い間供養を行っていかなければならない状態である。
そこで、本考案は、上記のような問題に鑑み、法號と、その基本的意味や由来を関連付けて認識させるために有用な手段を提供することを課題とする。
【課題を解決するための手段】
【０００５】
前記課題を解決する本考案は、法號を記すのに用いられる法號記載シートと、前記法號に関連する事項を記すのに用いられる法號関連事項記載シートと、前記法號記載シートと法號関連事項記載シートを並べて保持することを可能とする、シート保持部を有するフォルダと、を備えることを特徴とする、法號フォルダである。
本考案の法號フォルダは、上記の構成をとることにより、法號を前記法號に関連する事項と並列させることを可能とするものである。
【０００６】
本考案の好ましい形態では、法號フォルダは、さらに、任意事項を記すのに用いられる任意事項記載シートを含むことを特徴とする。
このような形態とすることにより、各寺院で、例えば法要のスケジュールや寺院の情報を記載するなど、必要な事項を記入することが可能となる。
【０００７】
本考案の好ましい形態では、前記フォルダが２つ折り可能に形成されており、内側に前記シート保持部を有することを特徴とする。
このような構成とすることにより、上記各シートを汚すことなく保管することが容易となる。また、移動もしやすくなる。
【０００８】
本考案の好ましい形態では、前記フォルダの表側には、布が張られていることを特徴とする。これにより、フォルダに高級感や柔らかさが出る。
【０００９】
本考案の好ましい形態では、前記シート保持部は、前記法號記載シート及び法號関連事項記載シートの四隅をそれぞれ挟み込むことによりこれらのシートを保持し、かつ、該シートの少なくとも一つを前記任意事項記載シートに差し替え可能なように形成されていることを特徴とする。
これにより、例えば、任意事項記載シートに忌日表を記せば、一定の期間のみこれをフォルダに保持しておき、一定期間が過ぎたときに、法號の意味合いや由来が記載された法號関連事項記載シートに差し替える、等することが可能となる。
【考案の効果】
【００１０】
本考案の法號フォルダは、寺院ごとに各シートへの詳細な記載事項を変えることができ、相手にその本来の意味合いや由来と共に法號を与えるツールとして極めて有用である。また、従来の位牌のイメージではないので、追號授与や逆修法號授与などの場面でも使用できるツールである。
【図面の簡単な説明】
【００１１】
【図１】実施例の法號フォルダを２つ折りにしたときの図である。
【図２】実施例の法號フォルダを構成するフォルダを開いた時の図である。
【図３】実施例の法號フォルダを開いた時の図である。法號記載シートには、法號と授与日、寺院の情報を、法號関連事項記載シートには、法號の由来を記している。
【図４】実施例の法號フォルダを開いた時の図である。任意事項シートが同封されている。図は忌日表を記した状態のものである。
【考案を実施するための形態】
【００１２】
以下、本考案の実施例について図１〜４を参照して説明するが、本考案は、本実施例の形態に限定されるものではない。
本考案の法號フォルダ１は、法號記載シート２１と、法號関連事項記載シート２２と、任意事項記載シート２３と、前記法號記載シート２１と、法號関連事項記載シート２２とを保持するフォルダ３と、を備える。
本実施例においては、各シートは紙で形成されている。
【００１３】
法號記載シート２１は、法號を記載できるシートであればよく、白紙であってもよいし、あらかじめ必要な書式が印字されていてもよい。法號記載シート２１には、法號の他、俗名や生年月日、命日、寺院の情報等を記載できるように構成されていてもよい。
【００１４】
法號関連事項記載シート２２は、法號の意味合いや由来等、法號に関連する事項を記載できるシートであればよく、白紙であってもよいし、あらかじめ必要な書式が印字されていてもよい。
【００１５】
任意事項記載シート２３は、任意の事項を記載できるシートであればよく、白紙であることが好ましい。なお、法號フォルダ１は、任意事項記載シート２３を、複数枚備えていてもよい。
【００１６】
フォルダ３は、２つ折り可能に構成されており、内側には、左右それぞれに各シートの四隅を挟み込むためのシート保持部３１が設けられている。各シート保持部３１は、図２に示すように、平面視において直角二等辺三角形状の被覆片３１１をそれぞれ有している。そして、被覆片３１１の二等辺部分が閉じられ、斜辺部分がシートの四隅を差し込むことができる開口部に形成されている。これにより、シート保持部３１は各シートの四隅を安定に保持でき、かつシートを着脱可能に構成されている。
フォルダ３は厚紙で形成され、表側から内側にかけて布が張られている。被覆片３１１はこの布により形成されている。
【００１７】
フォルダ３の内側には、例えば、記載済みの法號記載シート２１を右に、法號関連事項記載シート２２を左に、並べて配置して、法號授与に用いることができる。
また、例えば、忌日表を記した任意事項記載シート２３を添付することにより、必要に応じて上記法號関連事項記載シート２２と差し替えできるため、葬儀の後、年回忌を分かりやすく伝えることが可能となる。
【００１８】
なお、本実施例では、表側に「法號」の文字を記しているが、これは、宗派に応じて、「戒名」、「法名」に変更することも可能である。
【符号の説明】
【００１９】
１  法號フォルダ
２１  法號記載シート
２２  法號関連事項記載シート
２３  任意事項記載シート
３  フォルダ
３１  シート保持部
【図１】
0003192122.tif 000003
【図２】
0003192122.tif 000004
【図３】
0003192122.tif 000005
【図４】
0003192122.tif 000006
【手続補正書】
【提出日】平成26年5月23日(2014.5.23)
【手続補正１】
【補正対象書類名】実用新案登録請求の範囲
【補正対象項目名】全文
【補正方法】変更
【補正の内容】
【実用新案登録請求の範囲】
【請求項１】
法號を記すのに用いられる法號記載シートと、  前記法號に関連する事項を記すのに用いられる法號関連事項記載シートと、  前記法號記載シートと法號関連事項記載シートを並べて保持するための２つのシート保持部を有するフォルダとを備え、 前記各シート保持部には、前記シートの四隅を覆う被覆片が設けられていることを特徴とする、法號フォルダ。
【請求項２】
さらに、任意事項を記すのに用いられる任意事項記載シートを含むことを特徴とする、請求項１に記載の法號フォルダ。
【請求項３】
前記フォルダが２つ折り可能に形成されており、内側に前記シート保持部を有することを特徴とする、請求項１又は２に記載の法號フォルダ。
【請求項４】
前記フォルダの表側には、布が張られていることを特徴とする、請求項３に記載の法號フォルダ。
【請求項５】
前記シート保持部は、前記法號記載シート及び法號関連事項記載シートの四隅をそれぞれ挟み込むことによりこれらのシートを保持し、かつ、該シートを差し替え可能なように形成されていることを特徴とする、請求項１〜４の何れかに記載の法號フォルダ。
【手続補正２】
【補正対象書類名】図面
【補正対象項目名】図３
【補正方法】変更
【補正の内容】
【図３】
0003192122.tif 000007
【手続補正３】
【補正対象書類名】図面
【補正対象項目名】図４
【補正方法】変更
【補正の内容】
【図４】
0003192122.tif 000008